(57)【要約】【課題】アンテナの受信感度を向上させるとともに、ノートブック型パーソナルコンピュータの特徴を有効に活用することができる電子機器を提供する【解決手段】表示ユニット３と、この表示ユニット３が回動可能に連結された本体ユニット２と、前記表示ユニット３の上方端に配置され、この表示ユニット３側にスライド可動して表示ユニット３内に収納可能なハンドル３０とを備え、このハンドル３０内の内壁にアンテナ４０が貼り付けられることを特徴とする。【選択図】  図５
2011013781.tif 000002
【特許請求の範囲】
【請求項１】
表示部と、
前記表示部が回動可能に連結された本体部と、
前記表示部の上方端に配置され、前記表示部側にスライド可動して前記表示部内に収納可能なハンドルとを備え、
前記ハンドル内の内壁にアンテナが貼り付けられることを特徴とする電子機器。
【請求項２】
前記アンテナは、前記ハンドル内の何れの内壁に貼り付けられることを特徴とする請求項１記載の電子機器。
【請求項３】
前記アンテナは、前記本体部側にある回路基板とケーブルを介して電気的に接続されることを特徴とする請求項１記載の電子機器。
【請求項４】
前記ハンドルの側面に突起が形成され、前記表示部から引き出されると、この突起が前記表示部に形成された貫通孔に嵌め込まれロックされることを特徴とする請求項１記載の電子機器。
【発明の詳細な説明】
【技術分野】
【０００１】
本発明は、電子機器に関し、特に、持ち運び可能なハンディタイプで無線用アンテナを実装したノートブック型パーソナルコンピュータに関する。
【背景技術】
【０００２】
ノートブック型パーソナルコンピュータのような電子機器は、一般に表示部にアンテナを搭載している。しかしながら、近年、表示部の筐体は、例えば薄型化などのためにマグネシウム合金のような金属で形成されることが多い。このような金属製の筐体では、アンテナを収容する部分に合成樹脂製のアンテナカバーを取り付ける必要がある。
【０００３】
特許文献１は、無線用アンテナを実装したアンテナ実装基板を本体内部に搭載した情報処理装置を開示している。この情報処理装置は、左右のヒンジに挟まれた領域に、表示部を閉じた状態でも外部に晒される拡張カバーを備えている。この拡張カバー内にアンテナ実装基板が収容されている。
【先行技術文献】
【特許文献】
【０００４】
【特許文献１】特開２００２−３１２０６３号公報
【発明の概要】
【発明が解決しようとする課題】
【０００５】
ところで、特許文献１に記載のアンテナ実装基板は、拡張カバーの下端部近くに収容されている。そのため、アンテナの受信感度の観点から改良の余地がある。さらに、特許文献１の構造は、拡張カバーの形状を有効に利用したものとは言えず、筐体内にデッドスペースが生じている。
【０００６】
本発明の目的は、アンテナの受信感度を向上させるとともに、ノートブック型パーソナルコンピュータの特徴を有効に活用することができる電子機器を提供することにある。
【課題を解決するための手段】
【０００７】
本発明の一つの形態にかかる電子機器は、表示部と、前記表示部が回動可能に連結された本体部と、前記表示部の上方端に配置され、前記表示部側にスライド可動して前記表示部内に収納可能なハンドルとを備え、前記ハンドル内の内壁にアンテナが貼り付けられることを特徴とする。
【発明の効果】
【０００８】
本発明によれば、アンテナの受信感度を向上させるとともに、ハンディタイプの特徴を活用することができ、さらに実装スペースを有効に活用することができる。
【図面の簡単な説明】
【０００９】
【図１】本発明の実施形態にかかる電子機器の斜視図。
【図２】図１中に示された電子機器のシステム構成の概略図。
【図３】図１中に示された電子機器の表示ユニットを閉めた状態を示す斜視図。
【図４】図１中に示された電子機器の表示ユニットを閉めてハンドルを引き出した斜視図。
【図５】図１中に示された電子機器のハンドルを上げた状態の斜視図。
【図６】図１中に示された電子機器のハンドル内に実装されたアンテナを示す斜視図。
【図７】図６中に示されたＡの拡大図。
【図８】図６中に示されたＢ−Ｂの断面図。
【発明を実施するための形態】
【００１０】
以下に本発明の実施の形態を、ノートブック型パーソナルコンピュータに適用した図面に基づいて説明する。
図１ないし図８は、本発明の実施形態にかかる電子機器１を開示している。電子機器１は、例えばノートブック型パーソナルコンピュータである。なお本発明が適用可能な電子機器は、上記に限定されない。本発明は、例えばＰＤＡ(Personal Digital Assistant)、ゲーム機などを含む種々の電子機器に広く適用可能である。
【００１１】
図１に示すように、電子機器１は、本体ユニット２と、表示ユニット３と、本体ユニット２と表示ユニット３との間に設けられるヒンジ部１１と、を備えている。ヒンジ部１１は、表示ユニット３を回転可能に支持している。表示ユニット３は、図に示すように本体ユニット２に対して起立した第１の位置と、本体ユニット２に対して平行になるようにこれに被さった第２の位置と、の間で回転することができる。また本体ユニット２は、メイン回路基板を搭載した電子機器本体であり、メイン回路基板は実装されるＣＰＵなどの回路部品を有している。本体ユニット２は、箱状に形成された筐体（本体筐体）を有し、本体上壁１３、本体周壁１４、および本体下壁１５を有する。
【００１２】
本体下壁１５は、電子機器１を載置面（例えば机上）に置いた時に、その載置面に向かい合う壁部である。本体下壁１５は、載置面に対して略平行になるように広がっている。本体上壁１３は、本体下壁１５との間に空間を空けて、本体下壁１５と略平行（すなわち略水平）に広がっている。本体上壁１３には、キーボード５とタッチパッド６が取り付けられている。本体周壁１４は、本体下壁１５に対して起立しており、本体下壁１５の周縁部と本体上壁１３の周縁部との間を繋いでいる。
【００１３】
表示ユニット３は、ディスプレイ９と、このディスプレイ９の背面を覆う金属製の表示カバー７と、ディスプレイ９の前面と側面を覆う例えば合成樹脂製の表示マスク１０と、を有している。ディスプレイ９の一例として、本実施形態では、液晶ディスプレイが搭載されている。表示マスク１０は、その中央部に方形の開口を有しており、開口を介してディスプレイ９を外部に露出させている。表示ユニット３は、表示カバー７の上にディスプレイ９が配置され、更にその上から表示マスク１０が配置され、表示カバー７と表示マスク１０とが図示しないリブ等により接合されは箱状に形成されている。
【００１４】
また、表示マスク１０は、ディスプレイ９の側面を覆っており、その側面には貫通孔８が形成されている。この貫通孔８は、後述するが、ノートブック型のパーソナルコンピュータを持ち運ぶためのハンドルを固定するのに使用される。
【００１５】
なお、表示カバー７は、例えば、マグネシウム合金を用いたマグネシウムダイカストによって形成されている。表示カバー７は、マグネシウム合金を鋳造するものに限定されるものではなく、例えば、アルミニウム合金を用いたアルミニウムダイカストで形成したり、アルミニウム合金等の板材からプレス加工して折り曲げて形成したりしてもよい。
【００１６】
次に、図２を参照して、ノートブック型のパーソナルコンピュータのシステム構成の概略について説明する。
本パーソナルコンピュータ１は、図２に示されているように、ＣＰＵ（検出部、決定部、制御部）１１１、ノースブリッジ１１２、メモリ（主メモリ）１１３、サウスブリッジ１１９、ＳＡＴＡコントローラ１２６、ＢＩＯＳ−ＲＯＭ１２０、ＨＤＤ１２１、ＳＳＤ１２３、光ディスクドライブ（ＣＤ／ＤＶＤ）１２２、アンテナ４０、回路基板４４等を備えている。
【００１７】
ＣＰＵ１１１は、本コンピュータ１０の動作を制御するために設けられたプロセッサであり、ハードディスクドライブ（ＨＤＤ）１２１からメモリ１１３にロードされる、オペレーティングシステム（ＯＳ）のような各種アプリケーションプログラムを実行する。また、ＣＰＵ１１１は、ＢＩＯＳ−ＲＯＭ１２０に格納されたシステムＢＩＯＳ(Basic Input Output System)も実行する。システムＢＩＯＳはハードウェア制御のためのプログラムである。
【００１８】
ＳＡＴＡコントローラ１２６は、ＢＩＯＳ−ＲＯＭ１２０の指示に基づいて、接続されている複数の記憶装置であるＨＤＤ１２１およびＳＳＤ１２３のポート番号の制御を行う。
【００１９】
ノースブリッジ１１２はＣＰＵ１１１のローカルバスとサウスブリッジ１１９との間を接続するブリッジデバイスである。ノースブリッジ１１２には、メモリ１１３をアクセス制御するメモリコントローラも内蔵されている。また、ノースブリッジ１１２は、ＡＧＰ（Accelerated Graphics Port）バスなどを介して図示しないグラフィクスコントローラとの通信を実行する機能も有している。
【００２０】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１、ＯＤＤ１２２、ＳＳＤ１２３を制御するためのＳＡＴＡ（Serial Advanced Technology Attachment）コントローラ１２６を内蔵している。
【００２１】
ＨＤＤ１２１およびＳＳＤ１２３は、各種ソフトウェア及びデータを格納する記憶装置である。ＳＳＤは、ＨＤＤよりデータのアクセス速度が速く、消費電力も少ないため、オペレーティングシステムをインストールするための記憶装置として最適である。ＳＡＴＡコントローラ１２６は、ＢＩＯＳ−ＲＯＭ１２０からの指示に基づいて、オペレーティングシステムをインストールするための記憶装置として最適な記憶装置を自動的に判別して、オペレーティングシステムをインストールすることができる。また、ＨＤＤ１２１およびＳＳＤ１２３は、それぞれ図示しないＢＩＯＳ−ＲＯＭを備えている。これらのＢＩＯＳ−ＲＯＭには、ＨＤＤ１２１およびＳＳＤ１２３のデバイス（フラグ）情報等の各種情報が記憶されている。
【００２２】
光ディスクドライブ（ＯＤＤ）１２２は、光ディスクメディア等からオペレーティングシステムをインストールしたり、ビデオコンテンツが格納されたＤＶＤなどの記憶メディアを駆動するためのドライブユニットである。
【００２３】
アンテナ４０は、無線用アンテナであり、このアンテナ４０で受信した信号を受ける回路基板４４が備えられ、この回路基板４４はサウスブリッジ１１９と接続される。
【００２４】
次に、図３及び図５について説明する。
図３は、パーソナルコンピュータの表示ユニットを閉めた状態を示す斜視図であり、図４は表示ユニットを閉めてハンドルを引き出した斜視図であり、図５は表示ユニットを開いてハンドルを上げた状態の斜視図である。
【００２５】
図３に示すように、パーソナルコンピュータ１は表示ユニット３が本体ユニット２に対して平行になるようにこれに被さった第２の位置にある。ハンドル３０は表示ユニット３とは独立した樹脂製のケース形状を成し、表示ユニット３内に収納されている。すなわち、ハンドル３０は表示カバー７とディスプレイ９との間に収納されている。ただし、ハンドル３０が収納されていても取っ手部３３は露出されている。取っ手部３３の上面部３３ａと背面部３３ｂのみが露出される。また、取っ手部３３の両端部はディスプレイ９の側面に分割線を出さないようデザイン上の観点から、内側にハンドルが納まるようになっている。ハンドル３０を引き出す場合、取っ手部３３の背面部３３ｂ中央に凹凸（セレーション）３５が形成され、ユーザがその凹凸３５を爪等で引っ掛けて引き出せるようになっている。なお、この閉じた状態でハンドル３０を引き出すことで、持ち運びに便利なようになっており、従来のようにパーソナルコンピュータ１を抱えて持ち運んで落としてしまうといったことを極力少なくすることができる。
【００２６】
図４および図５に示すように、表示ユニット３は、本体ユニット２に対して起立した第１の位置で、かつハンドル３０の取っ手部３３が持ち上がった状態を示している。このパーソナルコンピュータ１はハンドル３０の取っ手部３３内にアンテナを貼り付け可能としている。よって、ユーザがパーソナルコンピュータ１を使用する際は、表示ユニット３を第１の位置にして、アンテナの受信感度を上げるため取っ手部３３の背面部３３ｂにある凹凸（セレーション）３５を爪で引っ掛けて持ち上げる。表示カバー７は金属製の材料から構成されているので、アンテナ４０が貼り付けられたハンドル３０が表示ユニット３内に収納されていると電波を受信し難くなるため、ハンドル３０を持ち上げることによってアンテナの送受信感度を良くする。
【００２７】
また、ハンドル３０は取っ手部３３と腕部３３ｄとから構成され、腕部３３ｄの一側面には突起３７が形成されている。腕部３３ｄの一側面は表示マスク１０の内側面と摺動自在になっており、この突起３７は表示マスク１０の側面にある貫通孔８と嵌合される。すなわち、図３のようにハンドル３０が表示ユニット３に収納されているときは貫通孔８に突起３７が嵌合されておらず、徐々にハンドル３０を上に持ち上げていくと貫通孔８に突起３７が嵌めこまれ、ハンドル３０がそれ以上、上方向にいかないようロックされる。なお、ハンドル３０をロックする方法はこの限りではなく、例えば表示マスク１０の内側面にストッパが形成され、ハンドル３０を持ち上げていくと腕部３３ｄの突起３７がこのストッパに引っ掛かりロックされる、といった方法でもよい。とにかく、ハンドル３０がロックされる構成であれば問題ない。
【００２８】
図６は、パーソナルコンピュータのハンドル内に貼り付けられたアンテナを示す斜視図であり、図７は図６に示したＡの拡大図であり、図８は図６に示したＢ−Ｂの断面図である。
【００２９】
図６に示すように、アンテナ４０は、例えば取っ手部３３の内面形状に追従可能な柔軟性を有する。アンテナ４０は、例えばフィルム状の平面アンテナである。アンテナ４０は、例えば、Ｂｌｕｅｔｏｏｔｈ（登録商標）や無線ＬＡＮ、無線ＷＡＮ、ＷｉＭＡＸ、ＵＷＢ、またはＧＰＳのような通信方式、或いは３Ｇや３．５Ｇのような携帯電話方式といった各方式にそれぞれ対応する。なお、アンテナ４０は上記以外の用途に用いられるものであってもよい。
【００３０】
図６に示すように、アンテナ４０は、ケーブル４２により回路基板４４に電気的に接続されている。ケーブル４２は、アンテナ４０から取っ手部３３の内部を経由し、さらに腕部３３ｄを経由し、ヒンジ部１１の近傍を経由して回路基板４４に接続されている。なお、アンテナ４０は、リードのような導電性を有する脚部により回路基板４４に直接接続（いわゆるダイレクト接続）されていてもよい。回路基板４４は、アンテナ４０の信号を増幅・変調する増幅／変調回路が実装されているが、例えば、信号処理の中枢を担うメイン回路基板（図示しない）に直接接続されていてもよい。
【００３１】
図７および図８に示すように、アンテナ４０は取っ手部３３の内面にある内壁面４６に貼り付けられている。前述したように、アンテナ４０は柔軟性を有しているため、内面形状に合せて変形可能で、取っ手部３３のような小さなスペースであっても貼り付け可能となっている。なお、アンテナ４０は、取っ手部３３の４つの内壁面４６の何れの壁面にも貼り付け可能で、取っ手部３３の端の方でも貼り付け可能となっている。つまり、受信感度が最もよい箇所に貼り付けることができる。また、４つの内壁面４６が平らであるため、アンテナ４０の貼り付けがより容易となっている。
【００３２】
このような構成のパーソナルコンピュータ１によれば、アンテナの受信感度を向上させ、さらに実装スペースを有効に活用することができる。
通常、アンテナは表示ユニットに搭載される。そして、表示ユニットを構成する表示カバーが金属製の材料から構成されている場合は、アンテナに対向する金属筐体の一部（表示カバーの一部）が切り欠かれ、合成樹脂製のアンテナカバーが取り付けられる。そのような構造では、パーソナルコンピュータ自身からのノイズが侵入し信号の受信が困難であった。
【００３３】
一方で、本実施形態に係るパーソナルコンピュータ１は、表示ユニット３内にハンドル３０を収納可能とし、そのハンドル３０の取っ手部３３内にアンテナ４０が貼り付けられる構成となっている。使用しないときは表示ユニット３内に収納され、使用するときは取っ手部３３を引き上げてアンテナ４０をパーソナルコンピュータ１の外へ出すようになっている。さらに、アンテナ４０はフィルム状の材質で柔軟性を持っているため、取っ手部３３の内壁面４６であればどの位置にも貼り付けることができるようになっている。
【００３４】
このような構成によれば、表示ユニット３を構成している表示カバー７は、マグネシウム合金等の金属製から成っているため、使用時はパーソナルコンピュータ１の外にアンテナ４０を出すことで受信感度を向上させることができる。また、アンテナ４０を取っ手部３３の内壁面４６のどの位置にも貼り付け可能なため、最も受信感度のよい位置に自由に貼り付けることができる。すなわち、持ち運びに便利なハンドル３０にアンテナ４０を設けたことで、信号の受信が容易になり、かつ、パーソナルコンピュータ１の外部にアンテナ４０を付加し受信を容易にする構造をわざわざとる必要がなくなる。
【００３５】
以上、本発明の実施形態に係るパーソナルコンピュータ１について説明したが、本発明はこれらに限定されるものではない。実施形態に係る各構成要素は、適宜組み合わせて用いることができる。また、この発明は上記実施形態そのままに限定されるものではなく、実施段階ではその要旨を逸脱しない範囲で構成要素を変形して具体化できる。
【符号の説明】
【００３６】
１…パーソナルコンピュータ、２…本体ユニット、３…表示ユニット、５…キーボード、７…表示カバー、８…貫通孔、９…ディスプレイ、１１…ヒンジ部、１０…表示マスク、３０…ハンドル、３３…取っ手部、３７…突起、４０…アンテナ、４２…ケーブル、４４…回路基板
【図１】
2011013781.tif 000003
【図２】
2011013781.tif 000004
【図３】
2011013781.tif 000005
【図４】
2011013781.tif 000006
【図５】
2011013781.tif 000007
【図６】
2011013781.tif 000008
【図７】
2011013781.tif 000009
【図８】
2011013781.tif 000010